(57)【要約】【課題】車椅子利用者のかご室外への移動を容易にする。【解決手段】実施形態によれば、エレベータの乗りかごは、出入口面部１０に配置されて、乗りかごが停止しているときに開閉可能に構成されたドア板１６と、一方の側面部の出入口面部１０側の一部と、ドア板１６の側面部３０に近い方の開閉方向端部１６ａと、をかご室内から覆うリターンパネル１１と、床面２１上に形成されて、リターンパネル１１のドア板１６側の端部から背面部に向かって、互いに平行に延びて、床面２１の図心を含む第１領域２１ａと、側面部３０側の第２領域２１ｂと、を識別可能に構成された境界表示部１１と、を有する。【選択図】  図１
2012025565.tif 000002
【特許請求の範囲】
【請求項１】
昇降路内を上下移動可能で、出入口用の開口部が形成された出入口面部と、この出入口面部に対向配置される背面部と、この背面部および前記出入口面部を連結する少なくとも２つの側面部と、床板部と、を備えた乗りかごを有するエレベータにおいて、
前記乗りかごは、
前記出入口面部に配置されて、前記乗りかごが停止しているときに前記開口部を開閉可能に構成されたドア板を備えたかごドア装置と、
一方の側面部の前記出入口面部側の一部と、前記ドア板の前記側面部に近い方の開閉方向端部と、を前記乗りかごの内側から外側に向かって覆うように配置されたリターンパネルと、
前記床板部の床面上に形成されて、前記リターンパネルの前記ドア板側の端部または当該端部よりも前記ドア板側から前記背面部に向かって、前記側面部に互いに平行または前記側面部に近づくように延びて、前記床面のうちで前記開口部の中央に接する第１領域と、前記床面のうちで前記第１領域以外の第２領域と、を識別可能に構成された境界表示部と、
を有することを特徴とするエレベータ。
【請求項２】
前記境界表示部は境界線であること、を特徴とする請求項１に記載のエレベータ。
【請求項３】
前記境界線に沿って埋設された光源を備え、
前記光源から発する光によって、前記第１領域および第２領域を識別するように構成されていること、
を特徴とする請求項２に記載のエレベータ。
【請求項４】
前記光源は、点滅可能に構成されていることを特徴とする請求項３に記載のエレベータ。
【請求項５】
前記光源は、色調可変に構成されていることを特徴とする請求項３に記載のエレベータ。
【請求項６】
前記境界表示部は前記背面部まで延びて、前記背面部から天井面に向かって延びるように構成されていること、を特徴とする請求項１ないし請求項５のいずれか一項に記載のエレベータ。
【請求項７】
前記境界表示部は、
前記床板部の床面上に形成されて、前記リターンパネルの前記ドア板側の端部から前記背面部に向かって、前記側面部に互いに平行に延びて、前記第１領域および第２領域を識別可能に構成された第１境界線と、
前記第２領域に形成されて、前記リターンパネルの前記ドア板側の端部よりも前記ドア板側から前記背面部に向かって、前記第１境界線に互いに平行または前記第１境界線に近づくように延びる第２境界線と、
を有することを特徴とする請求項１ないし請求項６のいずれか一項に記載のエレベータ。
【発明の詳細な説明】
【技術分野】
【０００１】
本発明の実施形態は、乗りかごを有するエレベータに関する。
【背景技術】
【０００２】
エレベータの乗りかごは、出入口面部と、この出入口面部に対向配置される背面部と、この背面部および前記出入口面部を連結する側面部と、を備えている。出入口面部には、ドア板が配置される。このドア板の両脇には、リターンパネルが配置されている。リターンパネルは、乗りかごの隅に配置されるもので、表示装置等が取り付けられる。
【０００３】
エレベータの乗りかごは、車椅子の利用者も乗降可能である。車椅子利用者は、通常、ドア板がある方を向いて乗り込む。乗りかご内（かご室内）が狭い場合には、乗りかごを降りるときは、当該車椅子利用者は、車椅子を後ろ向きに動かしながら、ドア板が開いた状態の出入口面部を通過する必要がある。
【先行技術文献】
【特許文献】
【０００４】
【特許文献１】特開２００６−１１７３５６号公報
【発明の概要】
【発明が解決しようとする課題】
【０００５】
ところが、上記のように後ろ向きに車椅子を移動させるときに、車椅子利用者は、リターンパネルの端部に接触しないように注意しながら車椅子を動かさなければならない。ドア板が開いている時間は限られている。この限られた時間内に、注意しながら車椅子を動かすことは、車椅子利用者の負担になる。
【０００６】
本発明の実施形態は上記課題を解決するためのものであり、その目的は、車椅子利用者に操作される車椅子のかご室外への移動を容易にできるようにすることである。
【課題を解決するための手段】
【０００７】
上記目的を達成するための実施形態に係るエレベータは、昇降路内を上下移動可能で、出入口用の開口部が形成された出入口面部と、この出入口面部に対向配置される背面部と、この背面部および前記出入口面部を連結する少なくとも２つの側面部と、床板部と、を備えた乗りかごを有するエレベータにおいて、前記乗りかごは、前記出入口面部に配置されて、前記乗りかごが停止しているときに前記開口部を開閉可能に構成されたドア板を備えたかごドア装置と、一方の側面部の前記出入口面部側の一部と、前記ドア板の前記側面部に近い方の開閉方向端部と、を前記乗りかごの内側から外側に向かって覆うように配置されたリターンパネルと、前記床板部の床面上に形成されて、前記リターンパネルの前記ドア板側の端部または当該端部よりも前記ドア板側から前記背面部に向かって、前記側面部に互いに平行または前記側面部に近づくように延びて、前記床面のうちで前記開口部の中央に接する第１領域と、前記床面のうちで前記第１領域以外の第２領域と、を識別可能に構成された境界表示部と、を有することを特徴とする。
【図面の簡単な説明】
【０００８】
【図１】本発明に係る第１の実施形態のエレベータの乗りかご内を示す透視図で、かご室内を背面部側からドア板を見た状態を示す。
【図２】図１の乗りかご内を示す透視図で、かご室内をドア板側から背面部を見た状態を示す。
【図３】本発明に係る第２の実施形態のエレベータの乗りかご内を示す透視図で、かご室内を背面部側からドア板を見た状態を示す。
【図４】本発明に係る第３の実施形態のエレベータの乗りかご内を示す透視図で、かご室内を背面部側からドア板を見た状態を示す。
【図５】本発明に係る第４の実施形態のエレベータの乗りかご内を示す透視図で、かご室内を背面部側からドア板を見た状態を示す。
【図６】本発明に係る第５の実施形態のエレベータの乗りかご内を示す透視図で、かご室内をドア板側から背面部を見た状態を示す。
【図７】本発明に係る第６の実施形態のエレベータの乗りかご内を示す透視図で、かご室内を背面部側からドア板を見た状態を示す。
【図８】本発明に係る第７の実施形態のエレベータの乗りかご内を示す透視図で、かご室内を背面部側からドア板を見た状態を示す。
【発明を実施するための形態】
【０００９】
［第１の実施形態］
第１の実施形態について、図１および図２を用いて説明する。図１は、本実施形態に係るエレベータの乗りかご内を示す透視図で、かご室内を背面部４０側からドア板１６を見た状態を示している。図２は、図１のかご室内をドア板１６側から背面部４０を見た状態を示している。
【００１０】
先ず、本実施形態のエレベータの乗りかごの構成について説明する。
【００１１】
当該乗りかごは、建屋内に形成される鉛直に延びる昇降路内を上下移動可能で、建屋の所定の階層に停止することができる。この乗りかごは、天井部５０と、床板部２０と、ドア開口部（図示せず）が形成された出入口面部１０と、背面部４０と、２つの側面部３０と、を有し、これらに囲われて、かご室が形成される。天井部５０には、照明装置５１等が取り付けられている。
【００１２】
出入口面部１０および背面部４０は、互いに対向するように配置される。出入口面部１０は、かごドア装置１５と、リターンパネル１１と、幕板１８と、を有する。このかごドア装置１５は、両開きタイプのもので、ドア開口部を開閉可能に構成された２つのドア板１６と、これらのドア板１６を移動させるためのレール（図示せず）と、を有する。また、かごドア装置１５は、ドア板１６がレール上を移動するための駆動部（図示せず）を有する。
【００１３】
これらのドア板１６は、鉛直に長い長方形の板状で、長手端部同士が出入口面部１０のドア開閉方向（図１における左右方向）の中央で接離するように構成される。すなわち、各ドア板１６の長手端部が開閉方向端部１６ａになる。当該ドア板１６は、乗りかごが所定の階層で停止しているときに開閉する。
【００１４】
リターンパネル１１は、ドア板１６それぞれのドア開閉方向外側、すなわち、出入口面部１０の各側面部３０側それぞれに配置される。各リターンパネル１１は、それぞれのリターンパネル１１に近い方の側面部３０の一部と、ドア板１６の側面部３０に近い方の開閉方向端部と、をかご室の内側から外側に向かって覆うように配置される。
【００１５】
このリターンパネル１１は、正面登録表示装置１２が取り付けられている。この正面登録表示装置１２は、乗りかごの現在位置を示すと共に、乗客が行先階層を登録することができる装置である。正面登録表示装置１２は、乗客が起立した状態で、スイッチ等を押しやすい位置に配置される。
【００１６】
幕板１８は、ドア板１６の上方で、図１における左右両側のリターンパネル１１の間に配置される。この幕板１８には、図示は省略しているが、表示装置等が設けられている。
【００１７】
２つの側面部３０は、互いに対向するように平行に配置されて、それぞれが背面部４０および出入口面部１０を連結する。各側面部３０は、それぞれ複数の側板３１を有する。これらの側板３１が複数連結されて、１つの側面部３０を構成する。各側面部３０には、比較的低い位置、例えば車椅子利用者が、操作しやすい位置に側面登録表示装置３２が取り付けられている。側面登録表示装置３２は、正面登録表示装置１２と同じ機能を有し、互いに連動する。
【００１８】
床板部２０の床面２１上には、境界表示部２２が形成される。この境界表示部２２は、２つの線状で、それぞれが互いに平行に延びる。これらの境界表示部２２は、図１における左右のリターンパネル１１のドア板１６側の開閉方向端部１６ａそれぞれから背面部４０に向かって延びる。各境界表示部２２は、側面部３０の側板３１に互いに平行に延びる。
【００１９】
各境界表示部２２は、床面２１上を、床面２１のうちでドア開口部に接する領域、すなわち床面２１中央付近を含む領域（第１領域２１ａ）と、側面部３０側の領域（第２領域２１ｂ）と、を識別可能な境界線である。また、各境界表示部２２は、床面２１上に塗布されて形成されているため、乗客がつまずくようなことは抑制される。
【００２０】
続いて、本実施形態の作用について説明する。
【００２１】
先ず、所定の階層で停止している乗りかごのドア板１６が開く。このとき、車椅子利用者が車椅子と共に出入口面部１０を通過可能な状態になる。
【００２２】
この後に、車椅子利用者によって車椅子が動かされて、当該利用者と共に車椅子がかご室内に入る。このとき、車椅子の左右どちらか一方の端、例えば右端が、対応する一方の境界表示部２２に沿うように、車椅子が車椅子利用者の操作によって動かされる。
【００２３】
図１の例では、車椅子利用者から見た右方向は、図１の左方向に対応する。このため、上記「対応する一方の境界表示部２２」は、図１の左方にある境界表示部２２である。かご室内に入った車椅子利用者は、かご室の背面部４０を向いた状態である。
【００２４】
かご室内に車椅子が入った後に、車椅子利用者によって、側面登録表示装置３２が操作される。このとき、側面登録表示装置３２によって行先階層が登録される。
【００２５】
ドア板１６が閉じられた後に、乗りかごは、行先階層へ移動する。乗りかごが行先階層に到着した後に、乗りかごが停止して、ドア板１６が開く。
【００２６】
ドア板１６が開いた後に、車椅子は、車椅子利用者によって操作されて、かご室内から後ろ向きに移動する。このとき、車椅子の右端が、対応する一方の境界表示部２２に沿うように動かされる。
【００２７】
境界表示部２２がリターンパネル１１のドア板１６側の開閉方向端部１６ａから背面部４０に向かって延びる直線状であるため、車椅子の端部が当該境界表示部２２に沿って動かすことで、車椅子がリターンパネル１１に接触（衝突）することが抑制される。このため、車椅子利用者が車椅子をかご室外へ移動させる操作を行うときの、肉体的負担および精神的負担が軽減される。
【００２８】
以上の説明からわかるように本実施形態によれば、車椅子利用者に操作される車椅子のかご室外への移動を容易にすることが可能である。
【００２９】
［第２の実施形態］
第２の実施形態について、図３を用いて説明する。図３は、本実施形態に係るエレベータの乗りかご内を示す透視図で、かご室内を背面部４０側からドア板１６を見た状態を示している。なお、本実施形態は、第１実施形態（図１および図２）の変形例であって、第１の実施形態と同一部分または類似部分には、同一符号を付して、重複説明を省略する。
【００３０】
本実施形態の境界表示部２２それぞれは、図３における左右のリターンパネル１１のドア板１６側の開閉方向端部１６ａよりもドア板１６側の位置から、背面部４０に向かって、互いに平行に延びる。すなわち、各境界表示部２２の出入口面部１０側の端部（始点となる位置）は、リターンパネル１１よりもドア開閉方向（図３の左右方向）の中央寄りにある。また、当該始点は、ドア開閉方向の中央よりも、リターンパネル１１側にある。
【００３１】
各境界表示部２２の始点となる位置がリターンパネル１１よりもドア板１６側にあるため、車椅子の端部が、車椅子利用者の操作不具合によって、境界表示部２２をリターンパネル１１側に越えても、直ぐにリターンパネル１１に接触することが、抑制可能になる。
【００３２】
［第３の実施形態］
第３の実施形態について、図４を用いて説明する。図４は、本実施形態に係るエレベータの乗りかご内を示す透視図で、かご室内を背面部４０側からドア板１６を見た状態を示している。なお、本実施形態は、第１実施形態（図１および図２）の変形例であって、第１の実施形態と同一部分または類似部分には、同一符号を付して、重複説明を省略する。
【００３３】
本実施形態の境界表示部２２は、第１の実施形態（図１および図２）の特徴を有する第１境界表示部２２ａと、第２の実施形態（図３）の特徴を有する第２境界表示部２２ｂと、を有する。
【００３４】
第１境界表示部２２ａは、第１の実施形態と同様に、２つの線状で、それぞれが互いに平行に延びる。これらの境界表示部２２は、図４における左右のリターンパネル１１のドア板１６側の開閉方向端部１６ａそれぞれから背面部４０に向かって延びる。
【００３５】
第２境界表示部２２ｂは、第１境界表示部２２ａよりも、ドア開閉方向（図４の左右方向）の中央寄りにある。
【００３６】
車椅子は、車椅子利用者によって、第２境界表示部２２ｂに沿って移動される。
【００３７】
これにより、車椅子の端部が、車椅子利用者の操作不具合によって、第２境界表示部２２ｂをリターンパネル１１側に越えても、第１境界表示部２２ａを越えないように操作することで、直ぐにリターンパネル１１に接触することが、抑制可能になる。
【００３８】
［第４の実施形態］
第４の実施形態について、図５を用いて説明する。図５は、本実施形態に係るエレベータの乗りかご内を示す透視図で、かご室内を背面部４０側からドア板１６を見た状態を示している。なお、本実施形態は、第１実施形態（図１および図２）の変形例であって、第１の実施形態と同一部分または類似部分には、同一符号を付して、重複説明を省略する。
【００３９】
本実施形態の境界表示部２２それぞれは、図５における左右のリターンパネル１１のドア板１６側の開閉方向端部１６ａそれぞれから背面部４０に向かって、各側面部３０に近づくように延びる。すなわち、各境界表示部２２同士のドア開閉方向（図５の左右方向）距離は、出入口面部１０から背面部４０に向かって除々に大きくなるように形成されている。
【００４０】
車椅子がかご室に入るときに、一方の側の境界表示部２２に沿って車椅子を移動させると、対応する側面登録表示装置３２に近づく。これにより、車椅子利用者がかご室内に入った後に、速やかに行先階層を登録することが可能になる。
【００４１】
また、当該境界表示部２２を、車椅子の奇跡を想定した曲線にすると、より効果的である。
【００４２】
［第５の実施形態］
第５の実施形態について、図６を用いて説明する。図６は、本実施形態に係るエレベータの乗りかご内を示す透視図で、かご室内をドア板１６側から背面部４０を見た状態を示している。なお、本実施形態は、第１実施形態（図１および図２）の変形例であって、第１の実施形態と同一部分または類似部分には、同一符号を付して、重複説明を省略する。
【００４３】
本実施形態の境界表示部２２は、第１の実施形態と同様に、床面２１上に２つ設けられて、それぞれが互いに平行に背面部４０まで延びる。さらに各境界表示部２２は、当該背面部４０を、床面２１から天井面に向かって延びるように形成される。背面部４０に設けられた２つの境界表示部２２は、互いに平行である。
【００４４】
背面部４０に境界表示部２２を設けることで、車椅子利用者が車椅子をかご室の外に移動させるときに、車椅子利用者が床面２１（下方）を確認しなくても、第１の実施形態と同様の効果を得ることができる。
【００４５】
［第６の実施形態］
第６の実施形態について、図７を用いて説明する。図７は、本実施形態に係るエレベータの乗りかご内を示す透視図で、かご室内を背面部４０側からドア板１６を見た状態を示している。なお、本実施形態は、第１実施形態（図１および図２）の変形例であって、第１の実施形態と同一部分または類似部分には、同一符号を付して、重複説明を省略する。
【００４６】
本実施形態の境界表示部２２は、床面２１に形成された境界線に沿って床板部２０にＬＥＤ等の光源２５が埋設されている。この光源２５から発する光によって、床面２１中央付近を含む第１領域２１ａと、側面部３０側の第２領域２１ｂと、を識別することができる。
【００４７】
また、この光源２５の色調や点灯方法を変化させることで、ドア板１６の開閉動作の状態を示すことができる。当該光源２５は、緑色、黄色および赤色の３色の光を発することができ、且つ、点滅することできる。
【００４８】
緑色の光を点灯しているときはドア板１６が開いた状態で、黄色の光を点灯しているときはドア板１６の閉動作が始まる直前の状態で、赤色の光を点灯しているときは閉動作中である。光源２５が発する色とドア板１６の動作との関係を示す旨を、登録表示装置で表示させる。
【００４９】
また、光源２５は、各色の光を点滅表示する機能を有する。本実施形態では、黄色の光が点灯されているときは、所定の時間間隔で点滅する。また、赤色の光が点灯しているときは、黄色の光のときの点滅の時間間隔よりも短い時間間隔で点滅させる。
【００５０】
これにより、第１の実施形態に比べて、車椅子利用者が境界表示部２２を視認しやすくなる。また、車椅子利用者に対して注意喚起を効率よく行うことが可能になる。
【００５１】
［第７の実施形態］
第７の実施形態について、図８を用いて説明する。図８は、本実施形態に係るエレベータの乗りかご内を示す透視図で、かご室内を背面部４０側からドア板１６を見た状態を示している。なお、本実施形態は、第１実施形態（図１および図２）の変形例であって、第１の実施形態と同一部分または類似部分には、同一符号を付して、重複説明を省略する。
【００５２】
本実施形態の床面２１には、色調の異なる２種類の正方形状のタイル、すなわち、第１タイル２７ａおよび第２タイル２７ｂが敷き詰められている。第１タイル２７ａは、床面２１の中央付近を含む第１領域２１ａに敷き詰められて、第２タイル２７ｂは側面部３０側の第２領域２１ｂに敷き詰められる。第１および第２タイル２７ａ、２７ｂの境界となる線が、境界表示部２２になる。
【００５３】
これにより、かご室内の意匠性を損なうことなく、第１の実施形態と同様に効果を得ることができる。
【００５４】
［その他の実施形態］
上記実施形態の説明は、本発明を説明するための例示であって、特許請求の範囲に記載の発明を限定するものではない。また、本発明の各部構成は上記実施形態に限らず、特許請求の範囲に記載の技術的範囲内で種々の変形が可能である。
【００５５】
上記実施形態は、床面２１の出入口面部１０側の端部から境界表示部２２が形成されているが、これに限らない。境界表示部２２を端部よりも内側から形成してもよい。
【００５６】
また、第３〜第５の実施形態の特徴を有する境界表示部２２に第６の実施形態で説明したＬＥＤ等の光源２５を設けてもよい。また、当該光源２５は、３色以上の光を発光させて、より効率よく注意喚起を行うように構成してもよい。
【００５７】
また、第５の実施形態で説明した背面部４０の境界表示部２２は、背面部４０を構成する背面側板の色調を変えて境界線を形成してもよい。
【００５８】
上記各実施形態は、例えば、ドア板１６が一方に開く片開きタイプで、リターンパネル１１が一方の側にのみある場合にも、用いることができる。
【符号の説明】
【００５９】
１０…出入口面部、１１…リターンパネル、１２…正面登録表示装置、１５…かごドア装置、１６…ドア板、１６ａ…開閉方向端部、１８…幕板、２０…床板部、２１…床面、２１ａ…第１領域、２１ｂ…第２領域、２２…境界表示部、２２ａ…第１境界表示部、２２ｂ…第２境界表示部、２５…光源、２７a…第１タイル、２７b…第２タイル、３０…側面部、３１…側板、３２…側面登録表示装置、４０…背面部、５０…天井部、５１…照明装置
【図１】
2012025565.tif 000003
【図２】
2012025565.tif 000004
【図３】
2012025565.tif 000005
【図４】
2012025565.tif 000006
【図５】
2012025565.tif 000007
【図６】
2012025565.tif 000008
【図７】
2012025565.tif 000009
【図８】
2012025565.tif 000010